(57)【要約】【課題】二次電池の点検を必要とする非常用照明装置において、点検直後においても高い誘導効果を維持する。【解決手段】１つの器具１Ａ内に収納された複数の二次電池２，１６，１７と、二次電池２によりランプ１３を点灯させる点灯回路ブロック１２を少なくとも含む複数の回路ブロック１２，１４，１７と、各二次電池２，１６，１９を充電する複数の充電回路部と、それぞれの二次電池の状態を検出することによって二次電池の点検を行う点検手段を有する非常用照明装置において、二次電池の点検時に少なくとも１つの二次電池は、他の二次電池と同時には点検のための放電をしないように制御する。【選択図】図１
2007188791.tif 000002
【特許請求の範囲】
【請求項１】
１つの器具内に収納された複数の二次電池と、二次電池によりランプを点灯させる点灯回路ブロックを少なくとも含む複数の回路ブロックと、各二次電池を充電する複数の充電回路部と、それぞれの二次電池の状態を検出することによって二次電池の点検を行う点検手段を有する非常用照明装置において、二次電池の点検時に少なくとも１つの二次電池は、他の二次電池と同時には点検のための放電をしないことを特徴とする非常用照明装置。
【請求項２】
請求項１において、前記点検手段は、点検を実施した二次電池が充電完了した後に、他の二次電池の点検を開始することを特徴とする非常用照明装置。
【請求項３】
請求項１または２において、点検を実施した二次電池の容量が所定値以下のときに、該二次電池に接続された回路ブロックを他の二次電池に切り換える手段を具備したことを特徴とする非常用照明装置。
【請求項４】
請求項１〜３のいずれかにおいて、点検の結果を音声により出力する音声出力手段を具備したことを特徴とする非常用照明装置。
【発明の詳細な説明】
【技術分野】
【０００１】
本発明は誘導灯や非常灯のような非常用照明装置に関するものである。
【背景技術】
【０００２】
誘導灯や非常灯のような非常用照明装置は、常用の電源が停電した時或いは火災など重大な災害が発生した時に、二次電池などの非常用の電源で光源を点灯もしくは点滅させるものであり、二次電池による動作が正常に行われるか否かの点検を定期的に行うように消防庁告示及び建築基準法などで義務づけられている。規定では、誘導灯の場合には２０分間又は６０分間、非常灯の場合には３０分間、それぞれ光源を有効に点灯させなければならないことになっている。点検者はこのような長時間点灯を継続させるために、例えば点検スイッチの引き輪に重りをぶら下げて、点灯維持可能かどうかを１つ１つ見て回って点検する必要があり、点検者にとっては非常に手間のかかる作業であった。
【０００３】
そこで、特開２００４−１１９１５１号公報（特許文献１）においては、点検手段により所定の点検時間以上強制的にランプを点灯させて、二次電池の点検を行う技術が開示されている。図１４に従来例の構成を示す。図１４に示すように非常用電源となる二次電池２と、白熱ランプや放電ランプなどのランプ６と、常用電源（商用電源）１から供給される交流を降圧し、安定化して所望の直流を得て、二次電池２を充電する充電回路部３と、二次電池２からの電力供給でランプ６を点灯させる点灯回路部５と、二次電池２から点灯回路部５への給電路を開閉するスイッチ素子４と、スイッチ素子４をオン、オフし且つ点灯回路部５を動作させる信号を生成するとともに二次電池２の異常を検出する制御部７とを備え、常時は商用電源１から電力供給を受けて二次電池２を充電し、停電時には二次電池２からの電力供給でランプ６を点灯させるものである。
【０００４】
制御部７はタイマ機能を内蔵したマイクロコンピュータを主構成要素とし、二次電池２の電圧（以下「電池電圧」と称する）を検出する電圧検出部８と、電圧検出部８の検出結果から二次電池２の異常を判断する判断部１０とを具備している。また、制御部７は通信部１１を有しており、外部から点検信号を受信すると、充電回路部３による二次電池２への充電を停止させるとともに点灯回路部５により所定の点検時間以上強制的にランプ６を点灯させて二次電池２の点検を行う点検機能を有している。
【０００５】
外部より点検信号を受信すると、制御部７はランプ６を点灯させることにより二次電池２を放電させる。点検開始時に予め二次電池２が満充電状態であるか否かを判断し、満充電でない場合には点検を中止する。満充電である場合には継続して二次電池２の容量を放電していく。この時、電圧検出部８による電池電圧が所定時間内は放電基準電圧以上を維持することで二次電池２の容量に異常がないと判定している。
【０００６】
図１５に二次電池２の放電時における電池電圧と放電時間の関係を示す。実線Ａでは規定時間内では電池電圧は放電基準電圧以上であるため二次電池は正常と判断する。また、同図における破線Ｂでは電池電圧は規定時間内に放電基準電圧以下になっているため二次電池は寿命であると判断している。このように放電時における二次電池２の電池電圧を監視し、良否判定のための基準値と比較することによって二次電池２の容量に異常が無いか点検することができる。
【特許文献１】特開２００４−１１９１５１号公報
【発明の開示】
【発明が解決しようとする課題】
【０００７】
ところで、誘導灯器具の中には停電時に内蔵した二次電池を利用してランプを点灯させる点灯ブロックの他に外部の信号装置からの信号により音声を発声させる音声ブロックや、別のランプを備え、そのランプを点滅させる点滅ブロックを有したものもある。
【０００８】
図１６に照明器具１Ａの内部構成ブロックを示す。基本的には商用電源１が通電状態であるときにはそれぞれのブロックに対応した二次電池２、１６、１９は各ブロックにより充電される。また、停電時においては通常点灯ブロック１２に対応した二次電池２を利用してランプ１３を点灯させる。通常の停電の場合であると、外部の信号装置２０からは点滅ブロック１４及び音声ブロック１７に対して動作させる信号は出力しない。一方、火災等の重大な災害が起こった場合には信号装置２０は点滅ブロック１４及び音声ブロック１７を動作させるように信号を送る。この時、各ブロックの電源としては対応する二次電池１６、１９を利用している。
【０００９】
点灯ブロック１２に関しては法規的に点検の義務があり、点検するためのスイッチが設けられている。このスイッチを操作することにより非常時に正常に機能するかを点検する。また自動的に点検する方法としては前述した特開２００４−１１９１５１号のようなものがある。しかしながら、音声ブロックや点滅ブロック用の二次電池に関しても寿命があり、所定時間二次電池を放電する点検を行うことが必要と考えられる。
【００１０】
しかし、一旦点検のために二次電池を規定時間放電すると、再び二次電池が満充電状態になるためには所定時間充電が必要であり、誘導灯に関してはＪＩＬでは２４時間の充電後に満充電状態になっている必要がある。
【００１１】
万が一、点検直後に災害が発生すると、二次電池はほぼ空の状態であるため、非常灯や誘導灯は本来の機能を発揮できなくなる。そのため、万が一に備えて二次電池が空になるような点検は建物の各フロアを一斉に行わないようにして、最低限の安全性を確保するようにしている。
【００１２】
本発明はこのような点に鑑みてなされたものであり、二次電池の点検を必要とする非常用照明装置において、点検直後においても高い誘導効果を維持することを目的とする。
【課題を解決するための手段】
【００１３】
本発明にあっては、上記の課題を解決するために、図１〜図５に示すように、１つの器具１Ａ内に収納された複数の二次電池２，１６，１７と、二次電池２によりランプ１３を点灯させる点灯回路ブロック１２を少なくとも含む複数の回路ブロック１２，１４，１７と、各二次電池２，１６，１９を充電する複数の充電回路部３，２３，３５と、それぞれの二次電池の状態を検出することによって二次電池の点検を行う点検手段（点検制御部２１と制御部７、３１、３７）を有する非常用照明装置において、二次電池の点検時に少なくとも１つの二次電池は、他の二次電池と同時には点検のための放電をしないこと（図６、図８参照）を特徴とするものである。
【発明の効果】
【００１４】
本発明によれば、二次電池の点検直後に災害が発生した場合においても高い誘導効果を持つことができ、安全性が向上する。
【発明を実施するための最良の形態】
【００１５】
（実施の形態１）
本発明の実施の形態１を図１に示す。図１６と同じ番号については説明を省略する。図１では図１６に対して点検制御部２１を非常用照明装置内に設けたものであり、点検制御部２１は外部の制御装置２２からの信号により二次電池２、１６、１９への充電を停止させるとともに、各二次電池を利用して点灯ブロック１２、点滅ブロック１４、音声ブロック１７を動作させて、各々の負荷（ランプ１３、キセノンランプ１５、スピーカ１８）に電力供給を行うように制御するものである。ここで点検制御部２１は予め設定された順序で各ブロック１２、１４、１７に点検動作するように信号を出力していく。
【００１６】
点検の処理の流れについて図２のフローを用いて説明する。まず、点灯ブロック１２に点検信号を出力し、二次電池２の点検動作を開始させる。所定時間の間、二次電池２の放電を行うと点検動作を停止させて再び二次電池２の充電を点灯ブロック１２により行う。
【００１７】
次に、点検制御部２１は点滅ブロック１４に点検信号を出力し、同じく二次電池１６の点検を所定時間行った後、点検動作を停止させて二次電池１６の充電を行う。
【００１８】
さらに、音声ブロック１７についても同様に二次電池１９の点検動作を所定時間行った後、点検動作を停止し、再度充電動作する。点検制御部２１は主にタイマ機能を備えたマイクロコンピュータを用いることで比較的容易に構成できる。
【００１９】
点灯ブロック１２は図３のような部分で構成され、各機能については図１４を用いて説明したものと同様である。
【００２０】
点滅ブロック１４の構成については図４のようなものである。点滅ブロック１４の基本動作としてランプ１５を点滅させるための動作を説明する。
【００２１】
ランプ１５の点灯時には、二次電池１６の電圧を昇圧回路２４によりランプ１５の放電電圧以上に昇圧する。この時、コンデンサ２７には昇圧回路２４によって昇圧された電圧を電源として抵抗２６→コンデンサ２７→トランス２８の一次側巻線Ｌ１のように電流が流れ、コンデンサ２７には電荷が蓄積される。
【００２２】
ここで、制御回路部３３によりサイリスタ２９のゲート・カソード間に電圧を印加するとサイリスタ２９はオン動作を行う。その際、コンデンサ２７に蓄えられたエネルギーはトランス２８の一次側巻線Ｌ１を通じて急峻に放出される。この時、トランス２８の一次側巻線Ｌ１にはパルス状の電圧が発生するため、トランス２８の二次側巻線Ｌ２に巻数比に応じたパルス電圧が発生する。このパルス電圧がキセノンフラッシュランプ１５のトリガ電極に印加されることによりランプ１５が点灯する。この時、ランプ１５の放電エネルギーは二次電池１６の電圧を昇圧回路２４を経てコンデンサ２５に充電されている電荷であり、ランプ１５の発光により電荷が放出されてコンデンサ２５の電圧が最小発光電圧を下回るとランプ１５の放電が停止する。
【００２３】
その後、ランプ１５が消灯している間にコンデンサ２５に電荷を充電しつつ、所定時間後に上記と同様にサイリスタ２９のゲート・カソード間に電圧を印加させてランプ１５を点灯させる動作を繰り返すことでランプ１５を点滅させて照明の誘導効果を高めている。
【００２４】
また、充電回路部２３は二次電池１６を充電するための要素であり、制御部３１や電圧検出部３２、制御回路部３３、判断部３４については図３または図１４における制御部７、電圧検出部８、制御回路部９、判断部１０と同様の機能を持つものであるため説明は省略する。
【００２５】
次に、音声ブロック１７の構成は図５のようなものである。音声出力部３６は主に音声内容を記憶した音声合成ＬＳＩと音声増幅アンプで構成され、スピーカ１８に音声信号を出力することで、スピーカ１８から音声として出力される。また、充電回路部３５は二次電池１９を充電するための要素であり、制御部３７や電圧検出部３８、制御回路部３９、判断部４０については、図３または図１４における制御部７、電圧検出部８、制御回路部９、判断部１０と同様の機能を持つものであるため説明は省略する。
【００２６】
万一点検中に災害が発生し、点滅及び音声の発声によって避難口ヘ誘導する必要が生じた場合においても、図６のように、二次電池の容量の点検を行うことで、全てのブロックについて同時に点検を実施した場合に比べてブロックが動作可能な時間が長くなる。すなわち、二次電池の点検を同時に実施した場合には、ｔ１の時点で全ての二次電池の容量が低下して機能が果たせなくなり、誘導効果がなくなるのに対して、本案ではｔ１の時点で点灯ブロック１２用の二次電池２のみが容量低下しているため、このときに災害が発生した場合でも他のブロック１４、１７は機能を果たすことができ、誘導効果が存在し、安全性が向上する。
【００２７】
本例では、１つのブロックにおける二次電池の点検が終了してから、次に別のブロックの点検を開始する、というようにしているが、少なくとも１つの二次電池の点検のタイミングをずらすことでも全てを同時に点検するよりは誘導効果が保てる。
【００２８】
また、点検の順番については本例では点灯ブロック１２用二次電池２→点滅ブロック１４用二次電池１６→音声ブロック１７用二次電池１９の順番に点検しているが、順番についてはこれに限るものではない。
【００２９】
図１の構成では、制御装置２２からの信号により点検動作を開始しているが、器具内に設けた点検スイッチを手動により動作させることで、順次、所定時間の点検を行うようなシーケンスを備えた構成でも同様な効果が得られる。
【００３０】
（実施の形態２）
本発明の実施の形態２についても図１の構成で説明する。本案は実施の形態１において、１つの二次電池の点検を実施した後、その二次電池を充電し、満充電になった後、別の二次電池の点検を開始するものである。
【００３１】
点検処理の流れについて図７のフローを用いて説明する。まず、点灯ブロック１２に点検信号を出力し、二次電池２の点検動作を開始させる。所定時間の間、二次電池２の放電を行うと点検動作を停止させて再び二次電池２の充電を点灯ブロック１２により行い、満充電になるまで充電する。
【００３２】
次に、点検制御部２１は点滅ブロック１４に点検信号を出力し、同じく二次電池１６の点検を所定時間行った後、点検動作を停止させて二次電池１６の充電を行い、満充電になるまで充電する。
【００３３】
さらに、音声ブロック１７についても同様に二次電池１９の点検動作を所定時間行った後、点検動作を停止し、再度充電し、満充電にする。すなわち、いずれかの二次電池を点検するときは常に全ての二次電池が満充電の状態で行われる。
【００３４】
これにより、万一あるブロックの二次電池の点検完了直後に災害が発生した場合においても少なくとも２つの二次電池は満充電状態であるため、所定の時間は機能を維持することができる。例えば、図８において、ｔ１の時点で災害が発生して避難誘導する必要が生じた場合、全てのブロックの二次電池を同時に点検した場合はいずれの二次電池も容量が空に近い状態であるのに対して、本案では２つの二次電池１６、１９は満充電状態であり、これらに接続されたブロックは機能を維持することができ、安全性が確保される。
【００３５】
図８では満充電直後に別の二次電池の点検を開始しているが、必ずしも満充電直後に点検を開始する必要はない。また、点検の順番もこれに限ってはいない。この構成により実施の形態１よりもさらに安全性を確保したものとなる。
【００３６】
（実施の形態３）
本発明の実施の形態３の構成を図９を用いて説明する。図９では各ブロックの負荷となるランプやスピーカ及び商用電源は図示を省略している。図中の４１〜４５はスイッチであり、切替制御部４６によって開閉制御される。切替制御部４６は主にマイクロコンピュータで構成され、各二次電池２、１６、１９の容量を電池電圧によって監視している。
【００３７】
二次電池１９の点検直後に災害が発生し、避難誘導する場合の動作について説明する。各ブロックは二次電池を利用して各機能動作を開始する。ここでスイッチ４１、４２、４３は閉であり、スイッチ４４、４５は開状態である。この時、音声ブロック１７の二次電池１９の容量は点検直後のため殆ど無い状態である。一方、他の二次電池２、１６は満充電状態である。
【００３８】
二次電池の電圧は切替制御部４６によって監視されているため、二次電池１９の電池電圧が所定値（例えば過放電電圧）に達すると、二次電池１９の放電を停止させるためスイッチ４３を開にする。また、スイッチ４１を開にしてスイッチ４４を閉にする。これにより二次電池２は音声ブロック１７に接続された形となり、点灯ブロック１２には二次電池２は接続されない形となる。そのため、音声ブロック１７は二次電池２を利用して動作し、点灯ブロック１２には二次電池が接続されていないため動作しない。すなわち、二次電池容量が低下しても誘導効果がより高いブロックを優先的に機能させることで避難誘導効果を得ることが可能となる。
【００３９】
表１に各二次電池が点検中に避難誘導する際のスイッチ４１〜４５の動作表を示す。図中の閉→開は電池電圧が低下して過放電防止電圧になった場合にスイッチを閉から開に切替えたことを示す。また開→閉はその逆である。
【００４０】
【表１】
2007188791.tif 000003
【００４１】
また、表１では過放電防止電圧になった際に優先度の低いブロックの二次電池の接続を別の優先度の高いブロックに切替えたが、表２のように二次電池１つに対して複数のブロックを接続するようにしても良い。この場合は、３つの機能を使用することが可能である。
【００４２】
【表２】
2007188791.tif 000004
【００４３】
（実施の形態４）
本実施の形態の特徴は、点検終了後等に点検結果を音声で発声することにある。基本的な構成は図１と同じである。
【００４４】
発声する内容としては二次電池の正常／異常の情報、或いはランプの状態（不点灯）に関するものが挙げられる。ランプの状態に関しては図１０のようにランプ電圧をモニタしたり、図１１のように光出力をモニタするセンサ４７を備えることで判定可能である。これらの内容は音声ブロック１７に内蔵された音声合成ＬＳＩに予め格納しておくことで点検結果に応じた音声内容を発声することが可能になる。これにより、点検結果が容易にわかる。
【００４５】
（実施の形態５）
上述の各実施の形態では、各ブロック毎に各々二次電池が接続されているが、例えば図１２のように音声ブロック１７と点滅ブロック１４の二次電池１６を共用している誘導装置においても、点灯ブロック１２用の二次電池２のように別の二次電池を備えているものであれば、同様の効果が得られる。この時、例えば点滅ブロック１４側に充電回路部を備えていることで二次電池１６を充電できるため、音声ブロック１７には充電回路部は無くてもよい。
【００４６】
また、図１３のように電源ブロックとして点滅ブロック１４および音声ブロック１７に所定の電源を供給し、且つ二次電池１６を充電する充電回路部を備えたブロックを備えたものにおいても１つの器具１Ａ内に複数の二次電池２、１６を持つものであれば同様の効果が得られる。
【図面の簡単な説明】
【００４７】
【図１】本発明の実施の形態１の回路図である。
【図２】本発明の実施の形態１の動作説明図である。
【図３】本発明の実施の形態１に用いる点滅ブロックの構成を示す回路図である。
【図４】本発明の実施の形態１に用いる点滅ブロックの構成を示す回路図である。
【図５】本発明の実施の形態１に用いる音声ブロックの構成を示す回路図である。
【図６】本発明の実施の形態１の動作説明図である。
【図７】本発明の実施の形態２の動作説明図である。
【図８】本発明の実施の形態２の動作説明図である。
【図９】本発明の実施の形態３の回路図である。
【図１０】本発明の実施の形態４の回路図である。
【図１１】本発明の実施の形態４の別の態様を示す回路図である。
【図１２】本発明の実施の形態５の回路図である。
【図１３】本発明の実施の形態５の別の態様を示す回路図である。
【図１４】従来例１の回路図である。
【図１５】従来例１の動作説明図である。
【図１６】従来例２の回路図である。
【符号の説明】
【００４８】
１Ａ    器具
２      二次電池
３      充電回路部
１２    点灯ブロック
１３    ランプ
１４    点滅ブロック
１６    二次電池
１７    音声ブロック
１９    二次電池
２１    点検制御部
２３    充電回路部
３５    充電回路部
【図１】
2007188791.tif 000005
【図２】
2007188791.tif 000006
【図３】
2007188791.tif 000007
【図４】
2007188791.tif 000008
【図５】
2007188791.tif 000009
【図６】
2007188791.tif 000010
【図７】
2007188791.tif 000011
【図８】
2007188791.tif 000012
【図９】
2007188791.tif 000013
【図１０】
2007188791.tif 000014
【図１１】
2007188791.tif 000015
【図１２】
2007188791.tif 000016
【図１３】
2007188791.tif 000017
【図１４】
2007188791.tif 000018
【図１５】
2007188791.tif 000019
【図１６】
2007188791.tif 000020